(57)【要約】【課題】  ユーザの意思に反してカメラが起動するのを抑制しつつ、簡素で直感的な動作によってカメラ機能を有効化させることができる携帯情報端末を提供する。【解決手段】  被写体を撮影するカメラ１５と、カメラ１５からプレビュー画像を繰り返し取得してタッチパネル１１に表示するプレビュー部１１０と、プレビュー画像の表示中における取込指示に基づいて、カメラ１５から保存用画像を取得してメモリ２７内に格納する画像取込部１１１と、携帯情報端末の傾きに基づいて、端末姿勢を検出する姿勢検出部２３と、現在位置を取得する現在位置取得部２４と、撮影位置を保持する撮影位置記憶部１０６と、端末姿勢を予め定められた撮影姿勢と比較する姿勢比較部１０９と、現在位置を撮影位置と比較する位置比較部１０７により構成される。プレビュー部１１０は、姿勢比較部１０９及び位置比較部１０７の比較結果に基づいて、プレビュー画像の表示を開始する。【選択図】  図４
2014135593.tif 000002
【特許請求の範囲】
【請求項１】
被写体を撮影するカメラと、
上記カメラからプレビュー画像を繰り返し取得して表示装置に表示するプレビュー手段と、
上記プレビュー画像の表示中における取込指示に基づいて、上記カメラから保存用画像を取得してメモリ内に格納する画像取込手段と、
携帯情報端末の傾きに基づいて、端末姿勢を検出する姿勢検出手段と、
現在位置を取得する現在位置取得手段と、
撮影位置を保持する撮影位置記憶手段と、
上記端末姿勢を予め定められた撮影姿勢と比較する姿勢比較手段と、
上記現在位置を上記撮影位置と比較する位置比較手段とを備え、
上記プレビュー手段は、上記姿勢比較手段及び上記位置比較手段の比較結果に基づいて、上記プレビュー画像の表示を開始することを特徴とする携帯情報端末。
【請求項２】
ユーザ操作に基づいて、行き先を指定する行き先指定手段と、
上記行き先を日時に対応づけたカレンダー情報を生成するカレンダー情報生成手段とを備え、
上記撮影位置記憶手段は、現在の日付に対応する上記行き先を上記撮影位置として記憶することを特徴とする請求項１に記載の携帯情報端末。
【請求項３】
上記カレンダー情報に基づいて、現在の日付に対応する行き先を目的位置とし、直前の日時に対応する行き先を出発位置として、上記出発位置及び上記目的位置間の移動経路を求める移動経路算出手段を備え、
上記プレビュー手段は、上記現在位置が上記移動経路付近にある場合に、上記端末姿勢及び上記撮影姿勢の比較結果に基づいて、上記プレビュー画像の表示を開始することを特徴とする請求項２に記載の携帯情報端末。
【請求項４】
ユーザ操作に基づいて、目的位置を指定する目的位置登録手段と、
上記現在位置及び上記目的位置間の移動経路を求め、上記表示装置に表示する経路案内手段とを備え、
上記撮影位置記憶手段は、上記目的位置を上記撮影位置として記憶することを特徴とする請求項１に記載の携帯情報端末。
【請求項５】
上記プレビュー手段は、上記現在位置が上記移動経路付近にある場合に、上記端末姿勢及び上記撮影姿勢の比較結果に基づいて、上記プレビュー画像の表示を開始することを特徴とする請求項４に記載の携帯情報端末。
【発明の詳細な説明】
【技術分野】
【０００１】
本発明は、携帯情報端末に係り、さらに詳しくは、被写体を撮影するカメラからプレビュー画像を繰り返し取得して表示装置に表示する携帯情報端末の改良に関する。
【背景技術】
【０００２】
多くの携帯電話機は、被写体を撮影するカメラを備えている。この様な携帯電話機は、カメラからプレビュー画像を繰り返し取得して表示装置に表示し、ユーザ操作による取込指示があれば、カメラから保存用画像を取得してメモリ内に格納する。通常、特定の操作キーを押下することにより、プレビュー画像の表示を開始させることができる。
【０００３】
ところが、タッチ操作を検出するタッチパネルを備えた携帯電話機には、メニューキーを操作してメニュー画面を表示させ、カメラを起動させるためのアイコンをタッチ操作によって選択するという一連の操作を行わなければ、カメラ機能を有効化させることができないものが少なくない。つまり、この種の携帯情報端末では、煩雑な操作手順を踏襲しなければカメラ機能を有効化させることができず、不便であるという問題があった。
【０００４】
そこで、端末装置の傾きを検出してカメラ機能を有効化させる携帯端末が提案されている（例えば、特許文献１及び２）。また、表示筐体及び操作筐体の相対位置状態と、現在位置を示す位置情報とを検出し、表示筐体及び操作筐体が展開状態である場合に、現在位置がカメラの使用頻度が高い場所であれば、カメラ機能を有効化させる携帯電子機器が提案されている（例えば、特許文献３）。特許文献３に記載の携帯電子機器では、カメラが頻繁に使用される場所として、行楽地や観光地などの位置情報が予め記憶される。
【先行技術文献】
【特許文献】
【０００５】
【特許文献１】特開２０１１−１８２０７２号公報
【特許文献２】特開２０１０−２４３６６７号公報
【特許文献３】特開２０１１−４９９０５号公報
【発明の概要】
【発明が解決しようとする課題】
【０００６】
しかしながら、端末装置の傾きを検出してカメラ機能を有効化させる従来の携帯端末では、端末装置が特定の姿勢になればカメラが起動することから、ユーザの意思に反してカメラを起動させてしまうことが少なくないという問題があった。また、表示筐体及び操作筐体の相対位置状態や位置情報を検出してカメラ機能を有効化させる従来の携帯電子機器においても、カメラの使用頻度が高い場所で筐体を展開させればカメラが起動することから、カメラを誤起動させてしまうという問題があった。
【０００７】
本発明は、上記事情に鑑みてなされたものであり、ユーザの意思に反してカメラが起動するのを抑制しつつ、簡素で直感的な動作によってカメラ機能を有効化させることができる携帯情報端末を提供することを目的とする。特に、カメラを構えるような動作を行うだけでカメラ機能を有効化させることができる携帯情報端末を提供することを目的とする。
【課題を解決するための手段】
【０００８】
本発明による携帯情報端末は、被写体を撮影するカメラと、上記カメラからプレビュー画像を繰り返し取得して表示装置に表示するプレビュー手段と、上記プレビュー画像の表示中における取込指示に基づいて、上記カメラから保存用画像を取得してメモリ内に格納する画像取込手段と、携帯情報端末の傾きに基づいて、端末姿勢を検出する姿勢検出手段と、現在位置を取得する現在位置取得手段と、撮影位置を保持する撮影位置記憶手段と、上記端末姿勢を予め定められた撮影姿勢と比較する姿勢比較手段と、上記現在位置を上記撮影位置と比較する位置比較手段とを備え、上記プレビュー手段が、上記姿勢比較手段及び上記位置比較手段の比較結果に基づいて、上記プレビュー画像の表示を開始するように構成される。
【０００９】
この様な構成によれば、端末姿勢及び撮影姿勢の比較結果と、現在位置及び撮影位置の比較結果とに応じてプレビュー画像の表示を開始するので、煩雑な操作手順を踏襲しなくてもプレビュー画像の表示を開始させることができる。例えば、現在位置が撮影位置付近であれば、携帯情報端末を撮影姿勢にすることにより、傾きの変化から端末姿勢の変化を検知してプレビュー画像の表示を開始させることができる。つまり、カメラを構えるような動作を行うだけでカメラ機能を有効化させることができる。
【００１０】
また、ユーザが任意に指定した撮影位置と現在位置とを比較してプレビュー画像の表示を開始するので、ユーザの意思に反してカメラを起動させてしまうのを抑制することができる。
【発明の効果】
【００１１】
本発明による携帯情報端末では、ユーザの意思に反してカメラが起動するのを抑制しつつ、簡素で直感的な動作によってカメラ機能を有効化させることができる。特に、カメラを構えるような動作を行うだけでカメラ機能を有効化させることができる。
【図面の簡単な説明】
【００１２】
【図１】本発明の実施の形態１による携帯情報端末１の一構成例を示した斜視図である。
【図２】図１の携帯情報端末１内の機能構成の一例を示したブロック図である。
【図３】図１の携帯情報端末１の動作の一例を示した図であり、図中の（ａ）には、立てた状態の端末姿勢が示され、（ｂ）には、倒した状態の撮影姿勢が示されている。
【図４】図２の主制御部２０の構成例を示したブロック図である。
【図５】図４の主制御部２０における動作の一例を示したフローチャートである。
【図６】本発明の実施の形態２による携帯情報端末１の一構成例を示したフローチャートであり、主制御部２０の動作の一例が示されている。
【図７】本発明の実施の形態３による携帯情報端末１の一構成例を示したフローチャートであり、主制御部２０の動作の一例が示されている。
【発明を実施するための形態】
【００１３】
実施の形態１．
＜携帯情報端末１＞
図１は、本発明の実施の形態１による携帯情報端末１の一構成例を示した斜視図であり、図中の（ａ）には、端末筐体１０の前面が示され、（ｂ）には、背面が示されている。この携帯情報端末１は、移動体通信網を利用して通話を行うことができる携帯電話機であり、端末筐体１０の前面にタッチパネル１１、受話用のスピーカ１２、送話用のマイクロホン１３及び操作キー１４ａ〜１４ｃが設けられ、端末筐体１０の背面にカメラ１５が設けられている。
【００１４】
端末筐体１０は、薄型で縦長の直方体形状からなる。スピーカ１２は、端末筐体１０の長手方向の一方の端部に配置され、マイクロホン１３及び操作キー１４ａ〜１４ｃは、他方の端部に配置されている。
【００１５】
タッチパネル１１は、表示画面を有する表示装置と、表示画面に対するタッチ操作を検出する操作入力装置により構成される。例えば、表示装置には、液晶ディスプレイが用いられ、操作入力装置には、静電容量方式のセンサが用いられる。スピーカ１２は、受話音を出力するための音声出力装置である。マイクロホン１３は、送話音を入力するための音声入力装置である。操作キー１４ａ〜１４ｃは、各種機能が予め割り当てられ、ユーザの押下操作により、割当機能を実行するための物理キーである。
【００１６】
例えば、操作キー１４ａは、前の画面に戻るためのリターンキーである。また、操作キー１４ｂは、ホーム画面を表示するためのホームキーである。また、操作キー１４ｃは、メニュー画面を表示するためのメニューキーである。
【００１７】
カメラ１５は、被写体を撮影する撮影装置であり、被写体からの光を撮像素子上に結像させるための受光レンズと、光を受光量に応じた電気信号に変換して映像信号を生成する撮像素子により構成される。例えば、撮像素子には、ＣＣＤ（Charge Coupled Device：電荷結合素子）又はＣＭＯＳ（Complementary Metal Oxide Semiconductor：相補性金属酸化膜半導体）イメージセンサが用いられる。
【００１８】
この携帯情報端末１では、操作キー１４ｃを操作してメニュー画面を表示させ、所定のカメラアイコンをタッチ操作によって選択することにより、カメラ機能を有効化することができる。カメラが起動すれば、カメラ１５からプレビュー画像が取得され、タッチパネル１１上に表示される。ユーザは、プレビュー画像を見ながら構図調整を行い、所定のタッチ操作によって取込指示を入力することにより、カメラ１５から保存用画像を取得してメモリ内に格納させることができる。
【００１９】
図２は、図１の携帯情報端末１内の機能構成の一例を示したブロック図である。この携帯情報端末１は、タッチパネル１１、スピーカ１２、マイクロホン１３、カメラ１５、主制御部２０、無線通信部２１、操作部２２、姿勢検出部２３、現在位置取得部２４、表示制御部２５、音声処理部２６及びメモリ２７により構成される。
【００２０】
主制御部２０は、所定のプロセッサからなり、通話処理やカメラ１５の撮影制御を行う。無線通信部２１は、セルラー基地局又は無線基地局を介して外部機器と通信し、通信相手と通話又は通信を行うための送受信部である。操作部２２は、タッチパネル１１に対するタッチ操作や、操作キー１４ａ〜１４ｃの押下操作を受け付けて操作信号を生成し、主制御部２０へ出力する。
【００２１】
表示制御部２５は、タッチパネル１１を制御し、ホーム画面、メニュー画面などを表示する。音声処理部２６は、マイクロホン１３により集音された音声信号を増幅し、デジタルデータに変換して主制御部２０へ出力する一方、主制御部２０から出力された音声データをアナログ信号に変換して駆動信号を生成し、スピーカ１２へ出力する。
【００２２】
メモリ２７には、主制御部２０の制御プログラムや、カメラ１５により撮影された画像データが保持される。メモリ２７には、揮発性のＲＡＭや不揮発性のＲＯＭの他、フラッシュメモリなどの半導体記憶素子、或いは、ＨＤＤ（ハードディスクドライブ）などの磁気記憶装置が用いられる。
【００２３】
姿勢検出部２３は、携帯情報端末１の傾きに基づいて、端末姿勢を検出し、その検出結果を主制御部２０へ出力する検出装置であり、端末姿勢が撮影姿勢にあるか否かを判別するのに用いられる。例えば、姿勢検出部２３は、可動部の位置変化を静電容量の変化によって検出する静電容量型の加速度センサからなり、加速度の大きさ、向き、加速度の単位時間当たりの変化量に基づいて、基準姿勢に対する携帯情報端末１の回転角度が検出される。この姿勢検出部２３は、常時動作し、一定の時間間隔で端末姿勢を繰り返し検出する。
【００２４】
端末姿勢の検出には、加速度センサに代えて、地磁気を検出する地磁気センサや角速度を検出するジャイロセンサ、電子コンパスを用い、或いは、これらの各種センサを組み合わせて用いるような構成であっても良い。
【００２５】
現在位置取得部２４は、現在位置を示す位置情報を取得する。例えば、現在位置取得部２４は、ＧＰＳ（Global Positioning System：全地球測位システム）衛星から送信される測位信号を受信するＧＰＳ受信機と、複数のＧＰＳ衛星から受信した測位信号に基づいて、現在位置を演算し、得られた位置情報を主制御部２０へ出力する演算回路により構成される。
【００２６】
現在位置の検出には、ＧＰＳ方式に代えて、無線通信部２１の受信信号からセルラー基地局の位置情報を取得し、この位置情報を利用して現在位置を求める方式や、ＷｉＦｉ（Wireless Fidelity）を利用して位置情報を取得するサービスを用い、或いは、これらの方式を組み合わせて用いるような構成であっても良い。
【００２７】
この携帯情報端末１では、カメラ１５を構えるような動作を行うだけでカメラ機能を有効化させるために、端末姿勢の検出結果が用いられる。また、ユーザの意思に反してカメラ１５が起動するのを抑制するために、現在位置の検出結果が用いられる。
【００２８】
図３は、図１の携帯情報端末１の動作の一例を示した斜視図であり、図中の（ａ）には、端末筐体１０を鉛直方向に立てた状態の端末姿勢が示され、（ｂ）には、端末筐体１０を水平方向に倒した状態の撮影姿勢が示されている。この図では、端末筐体１０の背面に平行な水平方向をｘ軸方向とし、鉛直方向をｙ軸方向とし、端末筐体１０の背面に垂直な撮影軸方向をｚ軸方向としている。
【００２９】
端末筐体１０を鉛直方向に立てた状態では、端末筐体１０の長手方向がｙ軸方向と一致する。カメラ１５の撮影軸は、受光レンズの受光軸であり、端末筐体１０の背面に垂直な水平方向を向いている。この状態でカメラ１５を起動させて撮影することは可能であるが、立てた状態の端末姿勢では、プレビュー画像や保存用画像が縦長状態になってしまう。そこで、通常、撮影時には、ｚ軸を中心として端末筐体１０を回転させ、或いは、ｘ軸を中心として回転させることにより、端末筐体１０を水平方向に倒した状態に移行させる。
【００３０】
端末筐体１０を水平方向（ｘ軸方向）に倒した状態では、端末筐体１０の長手方向がｘ軸方向と一致する。携帯情報端末１では、この様な端末姿勢を撮影姿勢と呼び、端末姿勢を撮影姿勢に近づけるという簡素で直感的な動作によって、カメラ１５を起動させることができる。
【００３１】
ｘ，ｙ，ｚ軸を中心とする端末筐体１０の回転動作は、姿勢検出部２３により検出される。また、ユーザがカメラ１５を構えるような姿勢で端末筐体１０を保持しているか否かは、端末姿勢を撮影姿勢と比較することによって判別される。具体的には、水平面を基準とし、ｘ，ｚ軸を中心とする端末筐体１０の傾きが所定範囲内にある場合の端末姿勢が撮影姿勢とみなされ、その様な撮影姿勢を一定時間Ｔ以上維持することが、カメラ１５の起動条件である。例えば、Ｔ＝１〜２秒程度である。
【００３２】
＜主制御部２０＞
図４は、図２の主制御部２０の構成例を示したブロック図である。この主制御部２０は、行き先指定部１０１、スケジュール管理部１０２、カレンダー情報記憶部１０３、目的位置登録部１０４、経路案内部１０５、撮影位置記憶部１０６、位置比較部１０７、撮影姿勢記憶部１０８、姿勢比較部１０９、プレビュー部１１０及び画像取込部１１１により構成される。
【００３３】
プレビュー部１１０は、カメラ１５からプレビュー画像を繰り返し取得し、タッチパネル１１に表示するための画面データを生成する。プレビュー画像は、表示用の撮影画像であり、繰り返し取得して表示装置に表示することにより、撮影中の被写体を動画像により確認することができる。
【００３４】
画像取込部１１１は、プレビュー画像の表示中における取込指示に基づいて、カメラ１５から保存用画像を取得してメモリ２７内に格納する。保存用画像は、プレビュー画像に比べ、画素数が多く、解像度が高い撮影画像である。この保存用画像は、所定のフォーマットでデータ量を圧縮した圧縮データとしてメモリ２７内に格納される。
【００３５】
目的位置登録部１０４は、ユーザ操作に基づいて、目的位置を指定し、目的位置を示す位置情報を経路案内部１０５へ出力する。経路案内部１０５は、現在位置取得部２４により取得された現在位置と、目的位置登録部１０４により指定された目的位置との間の移動経路を求め、タッチパネル１１に表示するための画面データを生成して経路を案内する。これらの構成によって経路案内機能が実現される。
【００３６】
現在位置及び目的位置間の移動経路は、案内用の地図に対応づけて表示される。案内用の地図データは、予め保持され、或いは、インターネット等の通信ネットワーク上のサーバー装置からダウンロードしたものが用いられる。撮影位置記憶部１０６には、目的位置登録部１０４により指定された目的位置が撮影位置として記憶される。
【００３７】
行き先指定部１０１は、ユーザ操作に基づいて、行き先を指定し、行き先を示す行き先情報をスケジュール管理部１０２へ出力する。スケジュール管理部１０２は、行き先を日時に対応づけたカレンダー情報を生成するカレンダー情報生成手段である。カレンダー情報記憶部１０３には、行き先指定部１０１により指定された行き先と、ユーザが指定した用件と日時とを互いに対応づけたカレンダー情報が保持される。用件には、行事や業務の内容、目的等が保持される。これらの構成によってスケジュール管理機能が実現される。
【００３８】
経路案内部１０５は、スケジュール管理部１０２により生成されたカレンダー情報に基づいて、現在の日付に対応する行き先を目的位置とし、直前の日時に対応する行き先を出発位置として、出発位置及び目的位置間の移動経路を求める。撮影位置記憶部１０６には、現在の日付に対応する行き先が撮影位置として保持される。
【００３９】
経路案内機能を使用して登録された目的位置を撮影位置として用いるのか、或いは、スケジュール管理機能を使用して登録された行き先を撮影位置として用いるのかは、ユーザが任意に選択することができる。
【００４０】
位置比較部１０７は、現在位置取得部２４により取得された現在位置を経路案内機能で登録された目的地や予め登録された撮影位置と比較し、その比較結果をプレビュー部１１０へ出力する。撮影姿勢記憶部１０８には、予め定められた撮影姿勢を示す姿勢情報が保持される。姿勢比較部１０９は、姿勢検出部２３により検出された端末姿勢を撮影姿勢と比較し、その比較結果をプレビュー部１１０へ出力する。
【００４１】
プレビュー部１１０は、姿勢比較部１０９及び位置比較部１０７の比較結果に基づいて、プレビュー画像の表示を開始する。例えば、経路案内機能が使用中であり、或いは、直前の使用履歴がある場合、現在位置が撮影位置付近にあり、かつ、端末姿勢が撮影姿勢と所定の範囲内で一致していれば、プレビュー画像の表示を開始する。
【００４２】
図５のステップＳ１０１〜Ｓ１０７は、図４の主制御部２０における動作の一例を示したフローチャートである。まず、主制御部２０は、端末姿勢を確認し（ステップＳ１０１）、撮影姿勢と一定の範囲内で一致していれば、経路案内機能の使用状態を確認する（ステップＳ１０２，Ｓ１０３）。このとき、主制御部２０は、経路案内機能を使用していなければ、直ちにこの処理を終了する（ステップＳ１０４）。一方、主制御部２０は、経路案内機能を使用している場合に、現在位置取得部２４を介して現在位置を取得し（ステップＳ１０４，Ｓ１０５）、予め登録されている目的位置と比較する（ステップＳ１０６）。
【００４３】
主制御部２０は、現在位置が目的位置付近でなければ、この処理を終了する。一方、主制御部２０は、現在位置が目的位置付近である場合に、カメラ１５を起動させ、プレビュー画像の表示を開始する（ステップＳ１０７）。
【００４４】
本実施の形態によれば、端末姿勢及び撮影姿勢の比較結果と、現在位置及び撮影位置の比較結果とに応じてプレビュー画像の表示を開始するので、煩雑な操作手順を踏襲しなくてもプレビュー画像の表示を開始させることができる。例えば、現在位置が経路案内用の目的位置として登録されている撮影位置付近であれば、携帯情報端末１を撮影姿勢にすることにより、傾きの変化から端末姿勢の変化を検知してプレビュー画像の表示を開始させることができる。つまり、カメラ１５を構えるような動作を行うだけでカメラ機能を有効化させることができる。
【００４５】
また、ユーザが任意に指定した目的位置と現在位置とを比較してプレビュー画像の表示を開始するので、ユーザの意思に反してカメラ１５を起動させてしまうのを防止することができる。
【００４６】
実施の形態２．
実施の形態１では、経路案内機能を使用して登録された目的位置を撮影位置として用いる場合の例について説明した。これに対し、本実施の形態では、スケジュール管理機能を使用して登録された行き先を撮影位置として用いる場合について説明する。
【００４７】
図６のステップＳ２０１〜Ｓ２０８は、本発明の実施の形態２による携帯情報端末１の一構成例を示したフローチャートであり、主制御部２０の動作の一例が示されている。まず、主制御部２０は、端末姿勢を確認し（ステップＳ２０１）、撮影姿勢と一定の範囲内で一致していれば、カレンダー情報を確認する（ステップＳ２０２，Ｓ２０３）。
【００４８】
このとき、主制御部２０は、カレンダー情報に現在の日付で行き先や用件が登録されていなければ、直ちにこの処理を終了する（ステップＳ２０４，Ｓ２０５）。一方、主制御部２０は、現在の日付に対応づけて行き先が登録されている場合に、現在位置取得部２４を介して現在位置を取得し（ステップＳ２０５，Ｓ２０６）、行き先と比較する（ステップＳ２０７）。
【００４９】
ここで、行き先を示す行き先情報は、予め位置データに変換されるものとする。例えば、行き先として指定された住所、施設名が、対応する位置データに変換される。この様な位置データへの変換処理は、経路案内機能を使用して行われ、或いは、インターネット等の通信ネットワーク上のサーバー装置から位置データをダウンロードして行われる。例えば、行き先情報の位置データへの変換処理は、行き先の登録時に実行される。
【００５０】
主制御部２０は、現在位置が行き先付近でなければ、この処理を終了する。一方、主制御部２０は、現在位置が行き先付近である場合に、カメラ１５を起動させ、プレビュー画像の表示を開始する（ステップＳ２０８）。
【００５１】
本実施の形態によれば、現在位置がカレンダー情報に行き先として登録されている撮影位置付近であれば、端末姿勢を撮影姿勢に近づけることにより、プレビュー画像の表示を開始させることができる。ユーザが任意に指定した行き先と現在位置とを比較してプレビュー画像の表示を開始するので、ユーザの意思に反してカメラ１５を起動させてしまうのを防止することができる。
【００５２】
実施の形態３．
実施の形態２では、スケジュール管理機能を使用して登録された現在の日付に対応する行き先を撮影位置として用いる場合の例について説明した。これに対し、本実施の形態では、現在の日付に対応する行き先を目的位置とし、直前の日時に対応する行き先を出発位置とする移動経路付近に現在位置があるか否かに応じてカメラ機能を有効化させる場合について説明する。
【００５３】
図７のステップＳ３０１〜Ｓ３１２は、本発明の実施の形態３による携帯情報端末１の一構成例を示したフローチャートであり、主制御部２０の動作の一例が示されている。まず、主制御部２０は、端末姿勢を確認し（ステップＳ３０１）、撮影姿勢と一定の範囲内で一致していれば、カレンダー情報を確認する（ステップＳ３０２，Ｓ３０３）。
【００５４】
このとき、主制御部２０は、カレンダー情報に現在の日付で行き先や用件が登録されていなければ、直ちにこの処理を終了する（ステップＳ３０４，Ｓ３０５）。主制御部２０は、現在の日付に対応づけて行き先が登録されている場合に、直前の日時で行き先や用件が登録されているか否かを確認し（ステップＳ３０５，Ｓ３０６）、行き先が登録されていれば、当該直前の日時に対応する行き先を出発地とする（ステップＳ３０７）。
【００５５】
一方、主制御部２０は、直前の日時で行き先が登録されていなければ、現在の日付に対応する行き先を登録した際の端末位置を出発地とする（ステップＳ３１２）。主制御部２０は、現在の日付に対応する行き先を目的地とし、出発地と目的地とを結ぶ移動経路を演算する（ステップＳ３０８）。出発地及び目的地間の移動経路を求める処理は、行き先の登録時に行っても良い。
【００５６】
次に、主制御部２０は、現在位置取得部２４を介して現在位置を取得し、移動経路と比較する（ステップＳ３０９，Ｓ３１０）。このとき、主制御部２０は、現在位置が移動経路付近でなければ、この処理を終了する。一方、主制御部２０は、現在位置が移動経路付近である場合に、カメラ１５を起動させ、プレビュー画像の表示を開始する（ステップＳ３１１）。
【００５７】
本実施の形態によれば、現在位置がカレンダー情報に登録されている行き先を結ぶ移動経路付近であれば、端末姿勢を撮影姿勢に近づけることにより、プレビュー画像の表示を開始させることができる。
【００５８】
なお、実施の形態１〜３では、姿勢検出部２３が一定の時間間隔で端末姿勢を繰り返し検出する場合の例について説明したが、本発明は、端末姿勢を検出するタイミングをこれに限定するものではない。例えば、操作キー１４ａ〜１４ｃの押下操作やタッチ操作が行われたタイミングで、端末姿勢の検出を開始するような構成であっても良い。また、近接センサを設け、端末筐体１０が鞄やポケットから取り出されたことを検知して、端末姿勢の検出を開始するような構成も考えられる。さらに、現在位置取得部２４を常時動作させ、現在位置の検出結果からユーザが立ち止まったことを検知して、端末姿勢の検出を開始するような構成も考えられる。
【００５９】
また、実施の形態１〜３では、プレビュー部１１０が姿勢比較部１０９及び位置比較部１０７の比較結果に基づいて、プレビュー画像の表示を開始する場合の例について説明したが、本発明は、カメラ１５の起動条件をこれに限定するものではない。例えば、現在位置取得部２４による現在位置の検出結果からユーザが移動中であることが検知されれば、カメラ１５を起動させず、ユーザが立ち止まったことが検知されれば、プレビュー画像の表示を開始するような構成であっても良い。
【００６０】
また、実施の形態２及び３では、スケジュール管理機能を使用して登録された行き先付近に現在位置があるか否かに応じてカメラ機能を有効化させる場合の例について説明したが、本発明は、カメラ１５の起動条件をこれに限定するものではない。例えば、行き先を複数の種別に区分して登録し、行き先が特定の種別に属する場合に、カメラ１５の起動を除外することにより、カメラ１５の誤起動を防止することが考えられる。具体的には、行き先が、市役所、警察署、映画館等の公共施設であれば、現在位置が行き先付近であってもカメラ１５を起動させない。また、用件として登録されている文字列が特定の文字列、例えば、用件を示す文字列が「出張」、「待ち合わせ」等であれば、現在位置が行き先付近であってもカメラ１５を起動させない。
【００６１】
本発明の実施の形態による携帯情報端末の構成と対応する作用効果とを以下に整理してまとめる。
第１の本発明による携帯情報端末は、被写体を撮影するカメラ１５と、カメラ１５からプレビュー画像を繰り返し取得してタッチパネル１１に表示するプレビュー部１１０と、プレビュー画像の表示中における取込指示に基づいて、カメラ１５から保存用画像を取得してメモリ２７内に格納する画像取込部１１１と、携帯情報端末の傾きに基づいて、端末姿勢を検出する姿勢検出部２３と、現在位置を取得する現在位置取得部２４と、撮影位置を保持する撮影位置記憶部１０６と、端末姿勢を予め定められた撮影姿勢と比較する姿勢比較部１０９と、現在位置を撮影位置と比較する位置比較部１０７とを備え、プレビュー部１１０が、姿勢比較部１０９及び位置比較部１０７の比較結果に基づいて、プレビュー画像の表示を開始するように構成される。
【００６２】
この様な構成によれば、端末姿勢及び撮影姿勢の比較結果と、現在位置及び撮影位置の比較結果とに応じてプレビュー画像の表示を開始するので、煩雑な操作手順を踏襲しなくてもプレビュー画像の表示を開始させることができる。また、ユーザが任意に指定した撮影位置と現在位置とを比較してプレビュー画像の表示を開始するので、ユーザの意思に反してカメラ１５を起動させてしまうのを抑制することができる。
【００６３】
第２の本発明による携帯情報端末は、上記構成に加え、ユーザ操作に基づいて、行き先を指定する行き先指定部１０１と、行き先を日時に対応づけたカレンダー情報を生成するスケジュール管理部１０２とを備え、撮影位置記憶部１０６が、現在の日付に対応する行き先を撮影位置として記憶するように構成される。この様な構成によれば、現在位置がカレンダー情報に行き先として登録されている撮影位置付近であれば、端末姿勢を撮影姿勢に近づけることにより、プレビュー画像の表示を開始させることができる。
【００６４】
第３の本発明による携帯情報端末は、上記構成に加え、カレンダー情報に基づいて、現在の日付に対応する行き先を目的位置とし、直前の日時に対応する行き先を出発位置として、出発位置及び目的位置間の移動経路を求める経路案内部１０５を備え、プレビュー部１１０は、現在位置が移動経路付近にある場合に、端末姿勢及び撮影姿勢の比較結果に基づいて、プレビュー画像の表示を開始するように構成される。この様な構成によれば、現在位置がカレンダー情報に登録されている行き先を結ぶ移動経路付近であれば、端末姿勢を撮影姿勢に近づけることにより、プレビュー画像の表示を開始させることができる。
【００６５】
第４の本発明による携帯情報端末は、上記構成に加え、ユーザ操作に基づいて、目的位置を指定する目的位置登録部１０４と、現在位置及び目的位置間の移動経路を求め、タッチパネル１１に表示する経路案内部１０５とを備え、撮影位置記憶部１０６が、目的位置を撮影位置として記憶するように構成される。この様な構成によれば、現在位置が経路案内機能を使用して目的位置として登録されている撮影位置付近であれば、端末姿勢を撮影姿勢に近づけることにより、プレビュー画像の表示を開始させることができる。
【００６６】
第５の本発明による携帯情報端末は、上記構成に加え、プレビュー部１１０は、現在位置が移動経路付近にある場合に、端末姿勢及び撮影姿勢の比較結果に基づいて、プレビュー画像の表示を開始するように構成される。この様な構成によれば、現在位置が移動経路付近であれば、端末姿勢を撮影姿勢に近づけることにより、プレビュー画像の表示を開始させることができる。
【符号の説明】
【００６７】
１  携帯情報端末
１０  端末筐体
１１  タッチパネル
１２  受話用のスピーカ
１３  送話用のマイクロホン
１４ａ〜１４ｃ  操作キー
１５  カメラ
２０  主制御部
２１  無線通信部
２２  操作部
２３  姿勢検出部
２４  現在位置取得部
２５  表示制御部
２６  音声処理部
２７  メモリ
１０１  行き先指定部
１０２  スケジュール管理部
１０３  カレンダー情報記憶部
１０４  目的位置登録部
１０５  経路案内部
１０６  撮影位置記憶部
１０７  位置比較部
１０８  撮影姿勢記憶部
１０９  姿勢比較部
１１０  プレビュー部
１１１  画像取込部
【図１】
2014135593.tif 000003
【図２】
2014135593.tif 000004
【図３】
2014135593.tif 000005
【図４】
2014135593.tif 000006
【図５】
2014135593.tif 000007
【図６】
2014135593.tif 000008
【図７】
2014135593.tif 000009